(57)【特許請求の範囲】
【請求項１】
記録紙の幅方向に長尺な固定刃と、前記幅方向に往復動可能な移動刃とを備え、前記固定刃と前記移動刃とで記録紙搬送路を搬送されてくる前記記録紙の切断位置を剪断する記録紙切断装置であって、
前記固定刃の前記記録紙との対向面に該記録紙の切断位置近傍を押し付けて挟持する押さえ部を備え、前記固定刃の前記対向面に前記記録紙の記録面との接触の際に該記録面からインクが転写するのを防止する転写防止層が設けられていることを特徴とする記録紙切断装置。
【請求項２】
請求項１において、前記転写防止層は、シリコーン層から成ることを特徴とする記録紙切断装置。
【請求項３】
請求項１または請求項２において、前記押さえ部は幅方向の１点で記録紙を挟持する構成であることを特徴とする記録紙切断装置。
【請求項４】
請求項１から請求項３のいずれか１項において、前記記録紙切断装置は、前記移動刃が前記幅方向の一端側から他端側に移動して、該幅方向の一端側から前記記録紙を剪断する構成を有しており、前記押さえ部は、前記記録紙の切断終点位置となる前記幅方向の他端側近傍にて該記録紙を挟持する構成であることを特徴とする記録紙切断装置。
【請求項５】
請求項１から請求項４のいずれか１項において、前記押さえ部は、前記移動刃が前記記録紙を切断すべく移動し始めるとともに該記録紙を挟持し、切断終了後に該記録紙は非挟持状態となる如く、前記移動刃の移動に連動した機構を有している、ことを特徴とする記録紙切断装置。
【請求項６】
請求項１から請求項５のいずれか１項において、前記押さえ部は、前記移動刃の移動に連動して上下動可能に構成され、前記移動刃が前記記録紙を切断すべく移動し始めるとともに前記押さえ部が上昇して、前記固定刃との間に前記記録紙を挟持する構成を成している、ことを特徴とする記録紙切断装置。
【請求項７】
請求項６において、前記押さえ部と幅方向における略同一線上に配設され、当該押さえ部が上昇するとともに上昇して、前記記録紙の切断位置近傍を略水平にすべく、前記記録紙を非挟持状態で下方から支持する支持部を備えている、ことを特徴とする記録紙切断装置。
【請求項８】
請求項７において、前記押さえ部及び前記支持部は、下降時には前記記録紙搬送路外に位置しており、上昇時に前記記録紙搬送路内に突出する構成を成している、ことを特徴とする記録紙切断装置。
【請求項９】
記録紙に記録を実行する記録部と、記録紙を前記記録部に送る記録紙搬送部と、記録部の下流側に設けられ前記記録紙の切断位置を記録紙の非記録面側から切断する構成の記録紙切断装置と、を備えた記録装置であって、前記記録紙切断装置は、請求項１〜８のいずれか１項に記載された記録紙切断装置であることを特徴とする記録装置。
【発明の詳細な説明】
【０００１】
【発明の属する技術分野】
本願発明は、ファクシミリやコピー機、プリンタ等の記録装置に搭載され、記録紙を所望の長さに切断する記録紙切断装置、並びに該記録紙切断装置を搭載した記録装置に関する。
【０００２】
【従来の技術】
従来から、記録後の記録紙を所望の長さに切断する記録紙切断装置を搭載した記録装置の１つとして、長尺な記録紙をロール状に巻いたロール紙に記録実行可能な構成を有するインクジェット式記録装置が公知である。このインクジェット式記録装置は、主走査方向に往復動する記録ヘッドからロール紙にインクを吐出する動作と、ロール紙を副走査方向に搬送する動作を交互に繰り返す記録実行手段によって、ロール紙に記録を実行する。そして、記録実行手段より副走査方向下流側に配設された記録紙切断装置にて記録後のロール紙を所望の切断位置で切断する。
【０００３】
記録紙切断装置は、一般的にロール紙の幅方向、つまり主走査方向に長尺な固定刃と、その固定刃に摺接して主走査方向に往復動する移動刃とによって、ロール紙を剪断する。移動刃は、丸刃を回転させつつ移動する、いわゆるロータリーカッターが一般的である。丸刃を搭載したホルダをモータ等の駆動力源によって往復動させ、ホルダに回転可能に軸支されている丸刃は、ホルダの往復動に連動して回転する回転機構によって回転しながらロール紙を剪断する。
【０００４】
ロール紙の切断位置近傍には、ロール紙切断時に該ロール紙を固定刃の対向面に押し付けて、その切断時に位置ズレしないように押さえ付けておく押さえ手段が、通常設けられている。すなわち、ロール紙の切断位置近傍は、比較的フリーな状態であり、記録紙切断装置によって剪断する際に、ロール紙の切断位置近傍に剪断力が作用してロール紙が撓んだり、ねじれたり、回転してずれてしまったりする虞があるから、その虞を低減する為に前記挟持手段が設けられている。
【０００５】
【発明が解決しようとする課題】
ところが、移動刃が記録紙の非記録面側から当接して切断する構成の記録紙切断装置にあっては、切断時に前記押さえ手段によってロール紙の記録面が前記固定刃に押し付けられることになる。そのため記録面のインク乾燥が不十分の場合に該インクが固定刃に転写する虞があった。このような転写が起きると、次の切断におけるロール紙の記録面に、固定刃に転写された前記インクが再付着して、記録面の品質を低下する問題を来す。
【０００６】
本明の目的は、移動刃が記録紙の非記録面側から当接して切断する構成の記録紙切断装置であって、切断時に押さえ手段によって記録紙の記録面が前記固定刃に押し付けられることになっても、該記録面のインクが固定刃に転写する虞の少ない記録紙切断装置を提供することにある。また、そのような記録紙切断装置を備えた記録装置を提供することにある。
【０００７】
【課題を解決するための手段】
上記目的を達成するため、本願請求項１に記載の発明に係る記録紙切断装置は、記録紙の幅方向に長尺な固定刃と、前記幅方向に往復動可能な移動刃とを備え、前記固定刃と前記移動刃とで記録紙搬送路を搬送されてくる前記記録紙の切断位置を剪断する記録紙切断装置であって、前記固定刃の前記記録紙との対向面に該記録紙の切断位置近傍を押し付けて挟持する押さえ部を備え、前記固定刃の前記対向面に前記記録紙の記録面との接触の際に該記録面からインクが転写するのを防止する転写防止層が設けられていることを特徴とする。
【０００８】
本発明によれば、固定刃の前記記録紙との対向面に、該記録紙の記録面との接触の際に該記録面からインクが転写するのを防止する転写防止層が設けられているので、移動刃が記録紙の非記録面側から当接して切断する構成の記録紙切断装置であって、切断時に前記押さえ部によって記録紙の記録面が前記固定刃に押し付けられても、該記録面のインクが固定刃に転写する虞を少なくすることができる。従って、固定刃に転写されたインクが、次の切断時に次の記録面に再付着することを防止でき、もって切断動作に起因した記録面の品質低下を防止することができる。
【０００９】
また、本願請求項２に記載の発明は、請求項１に記載された記録紙切断装置において、前記転写防止層はシリコーン層から成ることを特徴とする。
本発明によれば、前記転写防止層はシリコーン層から成るので、撥水性、対薬品性に優れたその物性に基づいて、インク転写防止機能が経時的に安定して発現される。尚、転写防止層として、前記シリコーン層の他に、ポリテトラフルオロエチレン（ＰＴＦＥ）を材料とするコーティングやテープ貼着で形成したもの等が挙げられる。
【００１０】
また、本願請求項３に記載の発明は、請求項１または請求項２に記載された記録紙切断装置において、前記押さえ部は幅方向の１点で記録紙を挟持する構成であることを特徴とする。
ここで、本願発明における一点で挟持するというのは、記録紙の全幅にわたって挟持するのではなく、また記録紙の全幅において、複数箇所の挟持部分があるものでもないことを意味しており、記録紙を挟持可能な挟持力を得られる最小限の小さな接触面積にて記録紙に面接触した状態で記録紙を挟持する挟持部分が、１カ所のみであるということを意味しているものである。
【００１１】
このように、記録紙の切断位置近傍を一点で挟持するので、記録紙の切断位置近傍に不均等な挟持力が作用することなく、記録紙を挟持することができる。そして、それによって、記録紙を剪断する際の記録紙の撓みやねじれを防止できるとともに、剪断力によって記録紙挟持手段と記録紙との間にすべりが生じる虞を少なくすることができる。更に、このように１点でしっかりと記録紙を挟持する構成であっても、固定刃には前記転写防止層が設けられているので、固定刃にインクが転写するのを防止できる。
【００１２】
また、本願請求項４に記載の発明は、請求項１から請求項３のいずれか１項に記載された記録紙切断装置において、前記記録紙切断装置は、前記移動刃が前記幅方向の一端側から他端側に移動して、該幅方向の一端側から前記記録紙を剪断する構成を有しており、前記押さえ部は、前記記録紙の切断終点位置となる前記幅方向の他端側近傍にて該記録紙を挟持する構成であることを特徴とする。
【００１３】
このように、記録紙の切断終点位置近傍で記録紙を挟持するので、記録紙の切断が終了するまで、その記録紙を挟持した状態を維持することができる。これにより、記録紙の切断終点位置近傍においても安定した記録紙の切断を行うことが可能になる。
【００１４】
また、本願請求項５に記載の発明は、請求項１から請求項４のいずれか１項に記載された記録紙切断装置において、前記押さえ部は、前記移動刃が前記記録紙を切断すべく移動し始めるとともに該記録紙を挟持し、切断終了後に該記録紙は非挟持状態となる如く、前記移動刃の移動に連動した機構を有していることを特徴とする。
【００１５】
本発明によれば、移動刃が記録紙を切断すべく移動し始めるとともに記録紙を挟持し、切断終了後に記録紙は非挟持状態となるので、記録紙挟持手段が記録紙の搬送動作や排出動作を妨げる虞がない。これにより、記録紙が挟持されたままの状態で記録紙の搬送動作や排出動作が行われてしまうことを防止できる。尚、移動刃の往復動作において、一方向にのみ切断可能な構成の記録紙切断装置においては、記録紙を切断後、移動刃が他方向に移動して初期位置に戻った時点で記録紙の挟持を解除する構成となり、双方向に切断可能な構成の記録紙切断装置においては、切断終了後に移動刃が移動可能範囲の端部近傍に到達した時点で記録紙の挟持を解除する構成となる。
【００１６】
また、本願請求項６に記載の発明は、請求項１から請求項５のいずれか１項に記載された記録紙切断装置において、前記押さえ部は、前記移動刃の移動に連動して上下動可能に構成され、前記移動刃が前記記録紙を切断すべく移動し始めるとともに前記押さえ部が上昇して、前記固定刃との間に前記記録紙を挟持する構成を成していることを特徴とする。
【００１７】
本発明によれば、押さえ部が上昇して、記録紙と平行に配設されている固定刃との間に記録紙を挟持する構成を成しているので、記録紙の切断位置近傍を挟持するとともに、記録紙の切断部分を固定刃の剪断面に押しつけることができる。これにより、固定刃と移動刃によって記録紙の切断位置を剪断する動作を、よりスムーズに行うことができるという作用効果が得られる。
【００１８】
また、本願請求項７に記載の発明は、請求項６に記載された記録紙切断装置において、前記押さえ部と幅方向における略同一線上に配設され、当該押さえ部が上昇するとともに上昇して、前記記録紙の切断位置近傍を略水平にすべく、前記記録紙を非挟持状態で下方から支持する支持部を備えていることを特徴とする。
【００１９】
本発明によれば、押さえ部とともに上下動する支持部によって、記録紙の切断位置近傍が下から略水平に支持されるので、記録紙の切断位置近傍が斜めに傾くことによる切断位置のずれや記録紙の引っかかり等の虞を少なくすることができる。これにより、より正確かつ安定した記録紙の切断が可能になるという作用効果が得られる。
【００２０】
また、本願請求項８に記載の発明は、請求項７に記載された記録紙切断装置において、前記押さえ部及び前記支持部は、下降時には前記記録紙搬送路外に位置しており、上昇時に前記記録紙搬送路内に突出する構成を成していることを特徴とする。
【００２１】
本発明によれば、押さえ部及び支持部が下降している時、つまり記録紙が非挟持状態である時に、押さえ部及び支持部は、記録紙が搬送される記録紙搬送路の外に位置しているので、押さえ部及び支持部が記録紙の搬送を妨げる虞がない。これにより、搬送中の記録紙が押さえ部及び支持部に引っかかって紙詰まり等が生じる虞をなくすことができる。
【００２２】
また、本願請求項９に記載の発明に係る記録装置は、記録紙に記録を実行する記録部と、記録紙を前記記録部に送る記録紙搬送部と、記録部の下流側に設けられ前記記録紙の切断位置を記録紙の非記録面側から切断する構成の記録紙切断装置と、を備えた記録装置であって、前記記録紙切断装置は、請求項１〜８のいずれか１項に記載された記録紙切断装置であることを特徴とする。
【００２３】
本発明によれば、記録紙の切断位置を記録紙の非記録面側から切断する構成の記録紙切断装置を備えた記録装置において、切断時に押さえ部によって記録紙の記録面が前記固定刃に押し付けられることになっても、該記録面のインクが固定刃に転写する虞を少なくすることができ、もって記録装置として、切断動作に基づく記録品質の低下を防止することができる。
【００２４】
【発明の実施の形態】
以下、本願発明の一実施の形態を図面に基づいて説明する。
【００２５】
図１は、本願発明に係る「記録装置」としてのインクジェット式記録装置の一実施の形態を示した概略の斜視図であり、図２は、その要部側面図である。
【００２６】
インクジェット式記録装置５０には、普通紙やフォト専用紙、あるいは長尺な記録紙をロール状に巻いたロール紙Ｐ等の記録紙に記録を実行する記録手段として、キャリッジガイド軸５１に軸支され、主走査方向Ｘに移動するキャリッジ６１が設けられている。キャリッジ６１には、記録紙にインクを吐出して記録を行う記録ヘッド６２が搭載されている。記録ヘッド６２と対向して、記録ヘッド６２のヘッド面６２ａと記録紙との間隔（ペーパー・ギャップ、以下「ＰＧ」と言う）を規定するプラテン５２が設けられている。そして、キャリッジ６１を主走査方向Ｘに搬送し、キャリッジ６１とプラテン５２の間に記録紙を副走査方向Ｙに搬送しながら、記録ヘッド６２のヘッド面６２ａから記録紙にインクを吐出することで記録紙に記録が行われる。
【００２７】
また、インクジェット式記録装置５０には、普通紙やフォト専用紙等の単票紙を給紙可能な構成を有する、図示していない自動給紙装置（オート・シート・フィーダ、以下「ＡＳＦ」と言う）が設けられている。ＡＳＦは、図示していない給紙ローラ及び分離パッド等を有する自動給紙機構である。この給紙ローラの回転駆動力と分離パッドの摩擦抵抗により、給紙トレイ５７に置かれた複数の記録紙を給紙する際に、複数の記録紙が一度に給紙されることなく、１枚ずつ正確に自動給紙される。
【００２８】
さらに、インクジェット式記録装置５０には、給紙された記録紙を副走査方向Ｙに間欠的に搬送する記録紙搬送手段として、搬送駆動ローラ５３と搬送従動ローラ５４が設けられている。搬送駆動ローラ５３は、回転駆動力源により回転制御され、搬送駆動ローラ５３の回転により、記録紙は副走査方向Ｙに搬送される。搬送従動ローラ５４は複数設けられており、それぞれ個々に搬送駆動ローラ５３に付勢され、記録紙が搬送駆動ローラ５３の回転により搬送される際に、記録紙に接して記録紙の搬送に従動して回転する。
【００２９】
さらに、インクジェット式記録装置５０には、記録された記録紙を排出する手段として、排紙駆動ローラ５５と排紙従動ローラ５６、５６が設けられている。排紙駆動ローラ５５は、回転駆動力源により回転制御され、排紙駆動ローラ５５の回転により、記録紙は副走査方向Ｙに排出される。排紙従動ローラ５６、５６は、排紙フレーム６３に複数設けられ、周囲に複数の歯を有し、各歯の先端が記録紙の記録面に点接触するように鋭角的に尖っている歯付きローラとなっている。
【００３０】
副走査方向Ｙにおける下流側に位置する排紙従動ローラ５６は、それぞれ個々に排紙駆動ローラ５５に、搬送従動ローラ５４の付勢力よりも弱い付勢力で付勢され、記録紙が排紙駆動ローラ５５の回転により排出される際に、記録紙に接して記録紙の排出に従動して回転する。もう一方の排紙従動ローラ５６（副走査方向Ｙにおける上流側に位置するもの）は、排紙駆動ローラ５５と対をなしてはおらず、単独で記録紙の記録面に軽く接触して、記録紙の浮き上がりをソフトに防いでいる。
【００３１】
尚、当該実施の形態においては、排紙フレーム６３の上面は、キャリッジ６１に形成されたＰＧ規制部６１１が摺接し、キャリッジ６１の高さを規制してＰＧを規制するＰＧ規制面となっている。
【００３２】
さらに、インクジェット式記録装置５０は、給紙トレイ５７に着脱可能なロール紙ホルダ５９を備えている。インクジェット式記録装置５０は、ロール紙ホルダ５９にセットされたロール紙Ｐを、前述したＡＳＦによって、単票状の記録紙と同様に自動給紙して、自動給紙したロール紙Ｐに記録実行可能な構成を有している。
【００３３】
排紙従動ローラ５６より副走査方向Ｙの下流側には、排紙補助ローラ４１が従動回転可能に軸支されて配設されている。排紙補助ローラ４１は、排紙従動ローラ５６と同様に、周囲に複数の歯を有し、各歯の先端が記録紙の記録面に点接触するように鋭角的に尖っている歯付きローラとなっている。そして、排紙補助ローラ４１は、ロール紙Ｐの記録面に接する際に排紙補助ローラ４１を軸支している棒ばねの付勢力によって、ロール紙Ｐの記録面に弱い付勢力にて付勢された状態で、ロール紙Ｐの排出に従動して回転する。
【００３４】
排紙補助ローラ４１より副走査方向Ｙの下流側には、本願発明に係る「記録紙切断装置」としてのロール紙カッターを構成する固定刃１と、「移動刃」としての丸刃２と、丸刃２を回転可能に軸支し、主走査方向Ｘに往復動可能に配設されているホルダ２１とが配設されている。ホルダ２１は、主走査方向Ｘに長尺なガイド板２３に主走査方向Ｘに往復動可能に配設され、モータ等の回転駆動力源の回転駆動力が伝達される回転する無端ベルト２２に取り付けられた状態で、無端ベルト２２の回転によって副走査方向Ｙに往復動する構成を成している。
【００３５】
ホルダ２１の下流側には、単票紙や切断後のロール紙Ｐを最終的に排紙トレイ５８に排出するための手段として、排出駆動ローラ４２と排出従動ローラ４３が配設されている。排出駆動ローラ４２及び排出従動ローラ４３は、前述の排紙駆動ローラ５５及び排紙従動ローラ５６と略同様の構成を成しており、切断後のロール紙Ｐは、排出駆動ローラ４２と排出従動ローラ４３とに挟持された状態で排出駆動ローラ４２の回転駆動力によって排紙トレイ５８に排出される。また、排出駆動ローラ４２と排出従動ローラ４３は、ロール紙Ｐをロール紙カッターにて切断する際には、副走査方向Ｙの下流側のロール紙Ｐを挟持して保持する。
【００３６】
排紙駆動ローラ５５と固定刃１との間には、排出される単票紙やロール紙Ｐを案内する排紙案内路４４が配設されている。そして、排紙案内路４４の下部には、本願発明に係る「記録紙切断装置」としてのロール紙カッターを構成する「記録紙挟持手段」としての揺動部材１１が、軸６４に揺動可能に軸支されて配設されている。揺動部材１１は、符号Ａの矢印で示した揺動方向に揺動する如く、ねじりコイルばね１２によって付勢されている。揺動部材１１は、押さえ部１３を有する形状を成しており、押さえ部１３の上面部には、ゴム部材等の高い摩擦抵抗を有する滑り止め部材１４が取り付けられている。ロール紙カッターにてロール紙Ｐを切断する際に、揺動部材１１は、符号Ａの矢印で示した方向に揺動し、押さえ部１３が、切断位置近傍のロール紙Ｐを上方に押し上げるように固定刃１に押しつけて、切断位置近傍のロール紙Ｐが挟持される。
【００３７】
固定刃１の前記記録紙との対向面に、該記録紙の記録面との接触の際に該記録面からインクが転写するのを防止する転写防止層８０が設けられている。本実施の形態では、転写防止層８０はシリコーン層から形成されており、これにより、撥水性、対薬品性に優れたシリコーンの物性に基づいて、インク転写防止機能が経時的に安定して発現される。尚、転写防止層８０として、前記シリコーン層の他に、ポリテトラフルオロエチレン（ＰＴＦＥ）を材料とするコーティングやテープ貼着で形成したもの等が挙げられる。
【００３８】
この転写防止層８０を設けたことにより、移動刃としての丸刃２が記録紙の非記録面側から当接して切断する構成の記録紙切断装置であって、切断時に前記押さえ部１３によって記録紙の記録面が前記固定刃１に押し付けられても、該記録面のインクが固定刃１に転写する虞を少なくすることができる。従って、固定刃１に転写されたインクが、次の切断時に次の記録面に再付着することを防止でき、もって切断動作に起因した記録面の品質低下を防止することができる。
【００３９】
また、排紙案内路４４の副走査方向Ｙの下流側には、本願発明に係る「記録紙切断装置」としてのロール紙カッターを構成する案内板４５が、排出駆動ローラ４２の回転軸に揺動可能に軸支されている。案内板４５は、図２に示した揺動位置においては、排紙案内路４４を搬送されてくるロール紙Ｐをロール紙カッターの切断位置を過ぎて、排出駆動ローラ４２のニップ位置まで誘導する。そして、ロール紙Ｐを切断する際には、符号Ｂの矢印で示した揺動方向に揺動し、ホルダ２１の往復動経路から退避する。
【００４０】
図３は、図２に示したインクジェット式記録装置５０の要部側面図において、切断位置近傍のロール紙Ｐを挟持した状態を示したものである。
ロール紙Ｐを切断すべくホルダ２１が主走査方向Ｘに移動し始めると、ホルダ２１の移動に連動したカム機構（後述）によって、揺動部材１１が符号Ａで示した方向に揺動し始め、押さえ部１３が図示の如く、切断位置近傍のロール紙Ｐを上方に押し上げるように固定刃１の転写防止層８０に押しつけて、切断位置近傍のロール紙Ｐが挟持される。また、同じくホルダ２１の移動に連動したカム機構によって、案内板４５は、符号Ｂの矢印で示した方向に揺動し始め、ホルダ２１の移動経路から退避する。
【００４１】
そして、ロール紙Ｐは、固定刃１と図示していない回転機構によって回転しながら往復動する丸刃２とによって剪断される。剪断された側のロール紙Ｐは、排出駆動ローラ４２及び排出従動ローラとによって排紙トレイ５８（図１）向けて副走査方向Ｙへ排出される。
【００４２】
図４は、本願発明に係る「記録紙切断装置」としてのロール紙カッターの要部正面図であり、ホルダ２１が移動し始める前の状態を示したものである。図５は、図４に示した状態からホルダ２１が移動し始めた状態を示したものである。また、図６は、本願発明に係る「記録紙切断装置」としてのロール紙カッターの要部斜視図であり、ホルダ２１がロール紙Ｐを切断し終える位置まで移動した状態を示したものである。
【００４３】
無端ベルト２２は、駆動プーリー２２ａと従動プーリー２２ｂとの間に配設され、図示していないモータの回転駆動力が駆動プーリー２２ａに歯車機構等を介して伝達され、駆動プーリー２２ａが回転することによって回転する。ホルダ２１は、無端ベルト２２の一部に取り付けられた状態で、ガイド板２３に主走査方向Ｘに往復動可能に配設されているので、無端ベルト２２が回転することによって主走査方向Ｘに往復動する。
【００４４】
揺動部材１１は、２つのねじりコイルばね１２によって、符号Ａの矢印で示した揺動方向に付勢されている。また、２つのねじりコイルばね１２は、図示の如く揺動部材１１の両端に縮設されており、揺動部材１１の主走査方向Ｘのがたつきを防止する役割も成している。揺動部材１１には、カム機構のカムフォロア部１６が配設されている。揺動部材１１は、カムフォロア部１６がホルダ２１のカム部２５に押動された状態で、図示の揺動位置、つまり押さえ部１３が排紙案内路４４から退避した位置に下降した状態となる揺動位置となっている。
【００４５】
また、押さえ部１３は、本実施の形態においては、ロール紙Ｐの切断位置の切断終了位置近傍を挟持する１点（１カ所）にのみ配設されている。さらに、揺動部材１１には、支持部１５が形成されており、支持部１５は、押さえ部１３と同様に、揺動部材１１の揺動によって上下動する。支持部１５は、当該実施の形態においては、図示の如く略等間隔にて４カ所に形成されている。
【００４６】
１点で挟持するというのは、記録紙の全幅にわたって挟持するのではなく、また記録紙の全幅において、複数箇所の挟持部分があるものでもないことを意味しており、記録紙を挟持可能な挟持力を得られる最小限の小さな接触面積にて記録紙に面接触した状態で記録紙を挟持する挟持部分が、１カ所のみであるということを意味しているものである。
【００４７】
このように、記録紙の切断位置近傍を１点で挟持するので、記録紙の切断位置近傍に不均等な挟持力が作用することなく、記録紙を挟持することができる。更に、このように１点でしっかりと記録紙を挟持する構成であっても、固定刃１には前記転写防止層８０が設けられているので、固定刃１に記録紙の記録面からインクが転写するのを防止できる。
【００４８】
図４に示した状態から、ロール紙Ｐを切断すべく、ホルダ２１が符号Ｃの矢印で示した方向に移動し始めると、図５に示したように、カムフォロア部１６からホルダ２１のカム部２５が離れるので、揺動部材１１は、ねじりコイルばね１２の付勢力によって、符号Ａの矢印で示した揺動方向に揺動する。それによって、押さえ部１３と支持部１５は、排紙案内路４４に突出するように上昇する。押さえ部１３は、ロール紙Ｐを固定刃１に押しつけるように押し上げて、ロール紙Ｐは、固定刃１の転写防止層８０と押さえ部１３の押さえ面に取り付けられている滑り止め部材１４との間に挟持される。また、支持部１５は、ロール紙Ｐを上方に押し上げて、非挟持状態で切断位置近傍のロール紙Ｐの姿勢を略水平に規制する。
【００４９】
このように、ロール紙Ｐの全幅にわたって挟持するのでもなく、ロール紙Ｐの全幅において、複数箇所の挟持部分にて挟持するのでもなく、ロール紙Ｐを挟持可能な挟持力を得られる最小限の小さな接触面積にてロール紙Ｐに面接触した状態でロール紙Ｐを１カ所のみで挟持するので、ロール紙Ｐの切断位置近傍に不均等な挟持力が作用することなく、ロール紙Ｐを挟持することができる。そして、それによって、ロール紙Ｐを剪断する際のロール紙Ｐの撓みやねじれを防止できるとともに、剪断力によって押さえ部１３とロール紙Ｐとの間にすべりが生じる虞を少なくすることができる。
【００５０】
また、ロール紙Ｐの切断終点位置近傍でロール紙Ｐを挟持するので、ロール紙Ｐの切断が終了するまで、そのロール紙Ｐを挟持した状態を維持することができる。さらに、支持部１５によって、ロール紙Ｐの切断位置近傍が略水平に支持されるので、ロール紙Ｐの切断位置近傍が斜めに傾くことによる切断位置のずれやロール紙Ｐの引っかかり等の虞を少なくすることができる。さらに、押さえ部１３及び支持部１５が下降している時、つまりロール紙Ｐが非挟持状態である時に、押さえ部１３及び支持部１５は、ロール紙Ｐが搬送される排紙案内路４４の外に位置しているので、押さえ部１３及び支持部１５がロール紙Ｐの搬送を妨げない。
【００５１】
図７は、本願発明に係る「記録紙切断装置」としてのロール紙カッターの要部斜視図であり、ホルダ２１が移動し始める前の案内板４５の状態を示したものである。
【００５２】
ホルダ２１が移動し始める前の状態においては、案内板４５は、図示の如くホルダ２１の移動経路に位置しており、排紙案内路４４を搬送されてきたロール紙Ｐを固定刃１の剪断面へと誘導する。案内板４５には、カムフォロア部４６が取り付けられており、ホルダ２１のカム部２６とで案内板４５を揺動させるカム機構を構成している。また、案内板４５は、カムフォロア部４６に取り付けられたねじりコイルばね４７によって、符号Ｂの矢印で示した揺動方向に付勢されている。
【００５３】
図８は、本願発明に係る「記録紙切断装置」としてのロール紙カッターの要部斜視図であり、図７に示した状態からホルダ２１が移動し始めた状態を示したものである。
【００５４】
図７に示した状態から、ロール紙Ｐを切断すべく、ホルダ２１が符号Ｃの矢印で示した方向に移動し始めると、図８に示したように、カムフォロア部４６からホルダ２１のカム部２６が離れるので、揺動部材１１は、ねじりコイルばね４７の付勢力によって、案内板４５は、ホルダ２１の移動経路から退避する如く、符号Ｂの矢印で示した揺動方向に揺動する。
【００５５】
このように、ロール紙Ｐを固定刃１を過ぎて排出駆動ローラ４２のニップ位置に向けて誘導する案内板４５は、ロール紙Ｐを切断する際には、ホルダ２１の移動に連動してホルダ２１の移動経路から退避するので、ホルダ２１の移動を妨げることがない。
【００５６】
図９〜図１１は、本願発明に係る「記録紙切断装置」としてのロール紙カッターの要部斜視図であり、ロール紙Ｐの切断位置近傍を拡大して示したものである。
【００５７】
図９は、切断前の状態を示したものであり、ホルダ２１は、符号Ｃの矢印で示した方向に移動し、丸刃２が符号Ｄの矢印で示した回転方向に回転しながらロール紙Ｐの側端に近づいていく。丸刃２は、図示していない回転機構によって、ホルダ２１の移動に連動して回転する。ホルダ２１には、丸刃２が固定刃１と規制部２４との間に位置する如く、ホルダ２１に規制部２４が形成されている。規制部２４は、斜面２４ａと規制面２４ｂを有する形状を成している。切断位置近傍において、斜面２４ａは、丸刃２を挟んで固定刃１と反対側のロール紙Ｐを規制面２４ｂに誘導し、規制面２４ｂは、丸刃２を挟んで固定刃１と反対側のロール紙Ｐの姿勢を略水平に規制する。
【００５８】
図１０は、切断直前の状態を示したものである。ホルダ２１が符号Ｃの矢印で示した方向にさらに移動し、丸刃２を挟んで固定刃１と反対側のロール紙Ｐは、規制部２４に形成されている斜面２４ａによって、規制面２４ｂに誘導されていく。そして、規制面２４ｂによって切断位置近傍のロール紙Ｐの姿勢は、固定刃１と規制部の規制面２４ｂとによって略水平に保たれる。図１１は、切断中のロール紙Ｐの切断位置近傍を拡大して示したものである。ホルダ２１が符号Ｃの矢印で示した方向にさらに移動し、ロール紙Ｐは、固定刃１と規制面２４ｂとで略水平に姿勢を規制された状態で、その固定刃１と規制面２４ｂとの間を、固定刃１と符号Ｄの矢印で示した方向に回転する丸刃２とによって剪断されていく。
【００５９】
このように、剪断する直前の切断位置近傍におけるロール紙Ｐの姿勢を略水平に規制する規制部２４がホルダ２１に形成されているので、剪断する直前のロール紙Ｐの切断位置近傍が斜めに傾くことによる切断位置のずれやロール紙Ｐの引っかかり等の虞を少なくすることができる。
【００６０】
また、丸刃２が固定刃１と規制部２４との間に位置する如く、ホルダ２１に規制部２４が形成されているので、丸刃２の両側が、それぞれ固定刃１と規制部２４の規制面２４ｂとで略水平に姿勢を規制された状態で、切断位置近傍のロール紙Ｐを剪断することができる。つまり丸刃２が移動する切断位置の両側において、ロール紙Ｐの姿勢が略水平に規制されているので、ロール紙Ｐの切断位置に作用する剪断力に対して、より強い規制力で切断位置近傍のロール紙Ｐの姿勢を略水平に規制することができる。
【００６１】
このようにして、当該実施の形態に示した本願発明に係る「記録紙切断装置」としてのロール紙カッターによれば、ロール紙Ｐを剪断する際のロール紙Ｐの撓みやねじれを防止できるとともに、剪断力によって記録紙挟持手段とロール紙Ｐとの間にすべりが生じる虞を少なくすることができるので、ロール紙Ｐを剪断する際の剪断力によって、紙詰まりや記録品質の低下が生じる虞を少なくすることができる。
【００６２】
また、他の実施の形態としては、上記一実施の形態に加えて、ホルダ２１に形成されている規制部２４の規制面２４ｂが切断直後のロール紙Ｐの姿勢を略水平に規制する形状を成しているものが挙げられる。
【００６３】
図１２は、本願発明に係る「記録紙切断装置」としてのロール紙カッターの他の実施の形態を示した要部斜視図である。
【００６４】
このように、規制面２４ｂが丸刃２より切断方向の後方側に長く形成されているので、切断直後のロール紙Ｐの姿勢を略水平に規制することができる。そして、それによって、切断直後のロール紙Ｐの姿勢が傾くことによる切断直前のロール紙Ｐの姿勢への影響を少なくすることができるので、より安定したロール紙Ｐの切断が可能になる。
【００６５】
尚、本願発明は上記実施例に限定されることなく、特許請求の範囲に記載した発明の範囲内で、種々の変形が可能であり、それらも本願発明の範囲内に含まれるものであることは言うまでもない。
【００６６】
【発明の効果】
本発明によれば、固定刃の前記記録紙との対向面に、該記録紙の記録面との接触の際に該記録面からインクが転写するのを防止する転写防止層が設けられているので、移動刃が記録紙の非記録面側から当接して切断する構成の記録紙切断装置であって、切断時に前記押さえ部によって記録紙の記録面が前記固定刃に押し付けられても、該記録面のインクが固定刃に転写する虞を少なくすることができる。従って、固定刃に転写されたインクが、次の切断時に次の記録面に再付着することを防止でき、もって切断動作に起因した記録面の品質低下を防止することができる。
【図面の簡単な説明】
【図１】本願発明に係る「記録装置」としてのインクジェット式記録装置の一実施の形態を示した概略の斜視図である。
【図２】本願発明に係る「記録装置」としてのインクジェット式記録装置の一実施の形態を示した要部側面図である。
【図３】本願発明に係る「記録装置」としてのインクジェット式記録装置の一実施の形態を示した要部側面図であり、切断位置近傍のロール紙を挟持した状態を示したものである。
【図４】本願発明に係る「記録紙切断装置」としてのロール紙カッターの要部正面図であり、ホルダが移動し始める前の状態を示したものである。
【図５】本願発明に係る「記録紙切断装置」としてのロール紙カッターの要部正面図であり、図４に示した状態からホルダが移動し始めた状態を示したものである。
【図６】本願発明に係る「記録紙切断装置」としてのロール紙カッターの要部斜視図であり、ホルダがロール紙を切断し終える位置まで移動した状態を示したものである。
【図７】本願発明に係る「記録紙切断装置」としてのロール紙カッターの要部斜視図であり、ホルダが移動し始める前の案内板の状態を示したものである。
【図８】本願発明に係る「記録紙切断装置」としてのロール紙カッターの要部斜視図であり、図７に示した状態からホルダが移動し始めた状態を示したものである。
【図９】本願発明に係る「記録紙切断装置」としてのロール紙カッターの要部斜視図であり、切断前のロール紙の切断位置近傍を拡大して示したものである。
【図１０】本願発明に係る「記録紙切断装置」としてのロール紙カッターの要部斜視図であり、切断直前のロール紙の切断位置近傍を拡大して示したものである。
【図１１】本願発明に係る「記録紙切断装置」としてのロール紙カッターの要部斜視図であり、切断中のロール紙の切断位置近傍を拡大して示したものである。
【図１２】本願発明に係る「記録紙切断装置」としてのロール紙カッターの他の実施の形態を示した要部斜視図である。
【符号の説明】
１    固定刃
２    丸刃
１１  揺動部材
１３  押さえ部
１４  滑り止め部
１５  支持部
１６、４６  カムフォロア部
２１  ホルダ
２４ａ  斜面
２４ｂ  規制面
２５、２６  カム部
４２  排出駆動ローラ
４３  排出従動ローラ
４５  案内板
５０  インクジェット式記録装置
５１  キャリッジガイド軸
５５  排紙駆動ローラ
５６  排紙従動ローラ
５７  給紙トレイ
５８  排紙トレイ
８０  転写防止層
【図１】
0003794307.tif 000002
【図２】
0003794307.tif 000003
【図３】
0003794307.tif 000004
【図４】
0003794307.tif 000005
【図５】
0003794307.tif 000006
【図６】
0003794307.tif 000007
【図７】
0003794307.tif 000008
【図８】
0003794307.tif 000009
【図９】
0003794307.tif 000010
【図１０】
0003794307.tif 000011
【図１１】
0003794307.tif 000012
【図１２】
0003794307.tif 000013